(57)【要約】【課題】扱いが容易で強い香りを発生させることができる香水入りペンダントを提供することを目的とする。【解決手段】内部に香水収容容器１２収容部２６を有するペンダントヘッド本体部１５と、ペンダントヘッド本体部１５の収容部２６の開口部を開閉自在な蓋体１６とを有するペンダントヘッド１１を備え、該ペンダントヘッド１１には、内外に連通開口した通気孔２０を備えるとともに、上端部に首掛け用紐状材１３に対して吊持ちさせる吊り部１４を備え、前記香水収容部２６に、内部に香水を収容する香水溜り部４６を有するとともに、上部に該香水溜り部４６に通じる微小通気孔５４を有する香水収容容器１２を取り外し自在に収容してなる香水入りペンダント。【選択図】図２
2010124909.tif 000002
【特許請求の範囲】
【請求項１】
内部に香水容器収容部を有するペンダントヘッド本体部と、該本体部の前記香水容器収容部の開口部を開閉自在な蓋体とを有するペンダントヘッドを備え、
該ペンダントヘッドには、内外に連通開口した通気部を備えるとともに、上端部に首掛け用紐状材に対して吊持ちさせる吊り部を備え、
前記香水収容部に、内部に香水を収容する香水溜り部を有するとともに、上部に該香水溜り部に通じる通気孔を有する香水収容容器を取り外し自在に収容してなる香水入りペンダント。
【請求項２】
前記香水収容容器は、上方が開放した容器本体と、該容器本体の開口部を開閉自在に覆う開閉蓋とをもって構成され、前記開閉蓋にはその頂板部に内外に連通開口する微小通気孔を備え、
前記容器本体内には、その開口部内を水平に仕切る水平仕切り板と、該水平仕切り板に対して上下に貫通させて固定され細筒部材とからなる香水溢れ止め部材を装着した請求項１に記載の香水入りペンダント。
【請求項３】
前記香水溢れ止め部材を構成する水平仕切り板には、その両端部より上向きに立ち上げた一対の立ち上がり片部を一体に有し、該立ち上がり片部を、前記開閉蓋の閉鎖状態時の開き止め節度部材としてなる請求項２に記載の香水入りペンダント。
【発明の詳細な説明】
【技術分野】
【０００１】
本発明は、主として首に掛けたネックレス等の首掛け用紐状材に吊り持ちさせて使用し、内部に香水を収容した香水を自然蒸散させるようにした香水入りペンダントに関する。
【背景技術】
【０００２】
従来、香りを発生させる機能を備えたアクセサリー１には、図５に示すようなものがある（例えば特許文献１，２）。
【０００３】
このアクセサリー１は、綿やスポンジ等の吸水性を持つ香り保持部材２と、香り保持部材２を入れる収容部３を備えている。収容部３には香りを外部に発散させる為の開口部４を有し、このアクセサリー１を使用することでこの開口部４より香りが発散されて漂うようになっている。
【０００４】
また、香りが薄くなってきた場合や、香りを変更したい場合には、香り保持部材２に香水等の香り剤を補充することにより容易に行うことができる。
【特許文献１】特開平９−１４０４４５号公報
【特許文献２】特開２００８−６２０２８号公報
【発明の開示】
【発明が解決しようとする課題】
【０００５】
しかしながら、上述の如き従来の香り発散アクセサリーにあっては、香り保持部材２が保持できる香りは決して多いとは言えず、気化しやすい香水では頻繁に補充が必要という問題があった。
【０００６】
また、より強い香りを求めた場合、液体である香水が零れないことが前提である為、その量にも限界があった。
【０００７】
本発明は、上述の如き従来技術の問題を鑑み、扱いが容易で強い香りを発生させることができる香水入りペンダントを提供することを目的とする。
【課題を解決するための手段】
【０００８】
上述の如き従来の問題を解決し、所期の目的を達成するための請求項１に記載の発明は、内部に香水容器収容部を有するペンダントヘッド本体部と、該本体部の前記香水容器収容部の開口部を開閉自在な蓋体とを有するペンダントヘッドを備え、該ペンダントヘッドには、内外に連通開口した通気部を備えるとともに、上端部に首掛け用紐状材に対して吊持ちさせる吊り部を備え、前記香水収容部に、内部に香水を収容する香水溜り部を有するとともに、上部に該香水溜り部に通じる通気孔を有する香水収容容器を取り外し自在に収容してなる香水入りペンダントであることを特徴とする。
【０００９】
請求項２に記載の発明は、請求項１の構成に加え、前記香水収容容器は、上方が開放した容器本体と、該容器本体の開口部を開閉自在に覆う開閉蓋とをもって構成され、前記開閉蓋にはその頂板部に内外に連通開口する微小通気孔を備え、前記容器本体内には、その開口部内を水平に仕切る水平仕切り板と、該水平仕切り板に対して上下に貫通させて固定され細筒部材とからなる香水溢れ止め部材を装着したことを特徴とする。
【００１０】
請求項３に記載の発明は、請求項２の構成に加え、前記香水溢れ止め部材を構成する水平仕切り板には、その両端部より上向きに立ち上げた一対の立ち上がり片部を一体に有し、該立ち上がり片部を、前記開閉蓋の閉鎖状態時の開き止め節度部材としてなることを特徴とする。
【発明の効果】
【００１１】
本発明に係る香水入りペンダントは、内部に香水容器収容部を有するペンダントヘッド本体部と、該本体部の前記香水容器収容部の開口部を開閉自在な蓋体とを有するペンダントヘッドを備え、該ペンダントヘッドには、内外に連通開口した通気部を備えるとともに、上端部に首掛け用紐状材に対して吊持ちさせる吊り部を備え、前記香水収容部に、内部に香水を収容する香水溜り部を有するとともに、上部に該香水溜り部に通じる通気孔を有する香水収容容器を取り外し自在に収容するようにしていることにより、従来のようにスポンジなどの吸湿材に香水を保持させるものに比べ、収容できる香水の量が多く、また蒸散量も多くすることができ、更に香水の補充も容易に行うことが出来る。
【００１２】
また、本発明においては、前記香水収容容器は、上方が開放した容器本体と、該容器本体の開口部を開閉自在に覆う開閉蓋とをもって構成され、前記開閉蓋にはその頂板部に内外に連通開口する微小通気孔を備え、前記容器本体内には、その開口部内を水平に仕切る水平仕切り板と、該水平仕切り板に対して上下に貫通させて固定され細筒部材とからなる香水溢れ止め部材を装着した構造とすることにより、ペンダントを紐などによって吊り下げ状態で使用する限りにおいては、揺動や多少の傾きによっては香水の表面張力によって開口部から容易に漏れ出すことがなく、かつ、香水の蒸散量を多くすることができる。
【００１３】
更に、本発明においては、前記香水溢れ止め部材を構成する水平仕切り板には、その両端部より上向きに立ち上げた一対の立ち上がり片部を一体に有し、該立ち上がり片部を、前記開閉蓋の閉鎖状態時の開き止め節度部材とすることによって、香水の漏れ出しのための部材と、開閉蓋の開閉節度機構とを兼用できることとなり、コンパクトで機能性に富んだものとなる。
【発明を実施するための最良の形態】
【００１４】
次に、本発明に係る香水入りペンダントの実施の態様を、図１〜図４に示す実施例について説明する。
【００１５】
図中符号１０は香水入りペンダントである。この香水入りペンダント１０は、収容部を有するペンダントヘッド１１と、ペンダントヘッドに収まる香水収容容器１２と、チェーンや革紐等の首掛け用紐状材１３とから構成されている。ペンダントヘッド１１には吊り部１４が一体に備えられており、これに首掛け用紐状材１３を通すことでペンダントヘッド１１が吊持ちされるようになっている。
【００１６】
ペンダントヘッド１１は、本体部１５と蓋体１６とで構成され、本体部１５底部から張り出した蝶番片１７と、蓋体１６底部に設けられた切欠１８とが嵌り合い、蝶番片１７を貫通する枢軸穴に切欠１８間に固定された枢軸が挿通されることで底部が蝶番として回動可能に連結され、開閉する構造となっている。蝶番片１７が蓋体に嵌りこむことで、蝶番が目立たずアクセサリーとしての装飾性を損なわない。
【００１７】
本体部１５は、香水を蒸散させるための内外に連通開口した通気孔２０が設けられた正面部２１と、正面部２１から立ち上げられた上辺部２２と底辺部２３、左右の側辺部２４、２５とで囲まれた香水収容容器１２の収容部２６を有し、上辺部２２外側には吊り部１４の一部である係合リング２７が固定されている。
【００１８】
収容部２６は、香水収容容器１２の高さに合わせ底板片２８と、頂板片２９で上下に仕切られており、本体部１５に対し蓋体１６を閉じた状態の時に、内部に収容された香水収容容器１２が動かないよう保持するようになっている。
【００１９】
蓋体１６は、本体部１５同様に通気孔２０が設けられた背面部３０と、背面部３０から立ち上げられた上辺部３２と底辺部３３、左右の側辺部３４，３５とで囲まれた香水収容容器１２を保持するための保持部３６を有し、上辺部３２外側には吊り部１４のもう一方である圧接リング３７が固定されている。この圧接リング３７は、本体部１５に対し蓋体１６を閉じた際に、係合リング２７に圧接されて係止されるようになっている。
【００２０】
保持部３６には、本体部１５側の頂板片２９に合わせて側辺部３４，３５からフランジ状に固定片３８が張り出し、底板片２８及び頂板片２９を補助している。
【００２１】
吊り部１４は、係合リング２７と圧接リング３７とで構成され、ペンダントヘッド１１の開閉金具の役目を兼ねている。閉蓋時は係合リング２７と圧接リング３７の穴が整合状態で連通し一体となり、開蓋状態ではそれぞれに分離する。
【００２２】
香水収容容器１２は、上方が開口した香水を入れる香水収容部４０と、収容部４０を覆う開閉蓋４１とで構成され、開閉蓋４１端部から張り出した蝶番片４２と、収容部４０端部に設けられた切欠４３とが嵌り合い、蝶番片４２を貫通する枢軸穴に切欠４３間に固定された枢軸が挿通されることで端部が蝶番として回動可能に連結され、開閉する構造となっている。蝶番片４２が収容部４０の切欠４３に嵌りこむことで、ペンダントヘッド１１の収容部２６に収容する際に、この蝶番片４２が邪魔にならないようになっている。
【００２３】
香水収容部４０は、底板４４と、底板４４のそれぞれの辺から立ち上げられた側壁４５とで囲まれ、上方が開口した香水溜り部４６が有する箱状に形成されており、内部に香水が収容できるようになっている。また、香水収容部４０の開口部には香水溢れ止め部材５２が装着されている。この香水溢れ止め部材５２は、香水収容部４０の開口部内を水平に仕切る水平仕切り板５０と、水平仕切り板５０に対して上下に貫通させて固定され細筒部材５１とから構成されている。
【００２４】
この香水溢れ止め部材５２は、図４に示すように、細筒部材５１があることにより、内部に収容した香水Ａの表面張力によって、多少の傾きや揺れが生じても溢れ難く、香水Ａを補充は細筒部材５１を通して容易にできる構造となっている。
【００２５】
この溢れ止め部材５２には、前記細筒部材の他に、水平仕切り板５０の両端部より上向きに立ち上げた一対の係止片５３，５３を一体に有し、開閉蓋４１が閉蓋状態となったときに開閉蓋４１内部に収まるようになっている。
【００２６】
開閉蓋４１は、内外に連通開口する微小通気孔５４を有する頂板５５と、頂板５５から伸びる側壁５６からなり、係止片５３，５３が開閉蓋４１を開閉する際にその側壁５６に当接して節度感が得られるとともに、開閉蓋４１の開き止め抵抗力が働くようになっている。
【００２７】
この香水入りペンダント１０の使用時は、ペンダントヘッド１１上部に固定された吊り部１４に首掛け用紐状材１３が通り、ペンダントヘッド１１は吊持ちされている。吊持ちされることで紐状材１３が張った状態となり、吊り部１４が係合リング２７と圧接リング３７とに分離することはない為、整合状態が保たれペンダントヘッド１１は閉蓋が維持される。
【００２８】
香水収容容器１２への香水Ａの補充する場合は、紐状材１３を弛ませ圧接リング３７をペンダント背面側に押すことで整合状態が解除され、係合リング２７と圧接リング３７とをそれぞれに分離しペンダントヘッド１１が開く。香水収容容器１２を取り出し、開閉蓋４１を開蓋して、香水Ａを補充する。
【００２９】
ペンダントヘッド１１を閉じる場合は紐状材１３の弛みをなくし、係合リング２７の係止片を圧接リング３７の内径に滑り込ませるように圧接リング３７を押すとペンダントヘッド１１が閉じる。香水収容容器１２は底板片２８と頂板片２９、固定片３８に支えられ、開閉蓋４１が開くことがない。
【００３０】
尚、ペンダントヘッド１１の本体部１５と蓋体１６は逆であっても良い。
【図面の簡単な説明】
【００３１】
【図１】本発明に係る香水入りペンダントの一例を示す概要図である。
【図２】同上のペンダントトップ開蓋状態を示す斜視図である。
【図３】同上の香水収容容器の分解斜視図である。
【図４】同上の香水収容容器の断面図である。
【図５】従来の香水入りペンダントの一例を示す断面図である。
【符号の説明】
【００３２】
Ａ  香水
１０  香水入りペンダント
１１  ペンダントヘッド
１２  香水収容容器
１３  紐状材
１４  吊り部
１５  本体部
１６  蓋体
１７  蝶番片
１８  切欠
２０  通気孔
２１  正面部
２２  上辺部
２３  底辺部
２４  側辺部
２５  側辺部
２６  収容部
２７  係合リング
２８  底板片
２９  頂板片
３０  背面部
３２  上辺部
３３  底辺部
３４  側辺部
３５  側辺部
３６  保持部
３７  圧接リング
４０  収容部
４１  開閉蓋
４２  蝶番片
４３  切欠
４４  底板
４５  側壁
４６  香水溜り部
５０  水平仕切り板
５１  細筒部材
５２  溢れ止め部材
５３  係止片
５４  微小通気孔
５５  頂板
５６  側壁
【図１】
2010124909.tif 000003
【図２】
2010124909.tif 000004
【図３】
2010124909.tif 000005
【図４】
2010124909.tif 000006
【図５】
2010124909.tif 000007